(57)【要約】【課題】液体容器の上端の開口部に取り付ける栓体において、液体の注入が簡単でありながらも、転倒しても液体がこぼれないようにすること。【解決手段】取り付け対象たる液体容器４の内部に対して液体を注入する注入路２を、上下方向に貫通形成した液体容器４の栓体１であって、該栓体１の下端部に、液体容器４を傾けることで液体を注出する注出路３を形成するとともに、該注出路３を開閉可能に閉鎖する閉鎖部材２１を設け、該閉鎖部材２１を、閉方向に付勢する付勢手段４４を設けるとともに、該付勢手段４４の付勢力に抗して閉鎖部材２１を変位し、上記注出路３を開放する操作部材２０を設けた液体容器の栓体１。【選択図】　　図１
2004008513.tif 000002
【特許請求の範囲】
【請求項１】
取り付け対象たる液体容器の内部に対して液体を注入する注入路を、上下方向に貫通形成した液体容器の栓体であって、
該栓体の下端部に、液体容器を傾けることで液体を注出する注出路を形成するとともに、
該注出路を開閉可能に閉鎖する閉鎖部材を設け、
該閉鎖部材を、閉方向に付勢する付勢手段を設けるとともに、
該付勢手段の付勢力に抗して閉鎖部材を変位し、上記注出路を開放する操作部材を設けた
液体容器の栓体。
【請求項２】
上端部に、枢着された開閉蓋部と、該開閉蓋部の閉状態を保持する係止部とを設け、
上記開閉蓋部の下面に、注入路の上端部を閉鎖する閉鎖突部を形成した
請求項１に記載の液体容器の栓体。
【請求項３】
前記操作部材を、一端に枢着部を有し、他端に押下部を有した押下レバーで構成した
請求項１または請求項２に記載の液体容器の栓体。
【請求項４】
前記押下部を、液体容器に形成するハンドルの上側に位置させた
請求項３に記載の液体容器の栓体。
【発明の詳細な説明】
【０００１】
【発明の属する技術分野】
この発明は、例えば魔法瓶のような液体容器の上端開口部を閉塞する栓体に関する。
【０００２】
【従来の技術】
栓体は、液体容器の開口部、すなわち液体を注ぎ込む部分を閉じるためのもので、ほとんどの場合、液体容器に対して螺合により取り付けられるように構成されている。
【０００３】
しかし、螺合、すなわち回して着脱するのでは、液体の注入に際していちいち栓体を回転させる必要があり、注入動作が面倒である。そこで、特開平９−２９９２５４号に開示されたような構造を案出した。すなわち、栓体の中央部に、上下方向に貫通する注入路を形成した構成である。この構成によれば、液体の注入は、栓体の上端部に枢着した開閉可能な上蓋を開くだけで、栓体を取り外すことなく行えるので、注入動作が便利である。
【０００４】
ところで、上記発明では、液体を注出する注出路を積極的に閉鎖する構成がない。正常に使用する限り、注出路を閉鎖のための手段は必ずしも必要ではないが、万が一液体容器が転倒した場合には、注出路を通って液体が零れてしまうことがある。
【０００５】
【発明が解決しようとする課題】
そこでこの発明は、液体の注入が簡単でありながらも、不測に液体がこぼれたりするような不都合がないようにすることを主たる課題とする。
【０００６】
【課題を解決するための手段】
そのための手段は、取り付け対象たる液体容器の内部に対して液体を注入する注入路を、上下方向に貫通形成した液体容器の栓体であって、該栓体の下端部に、液体容器を傾けることで液体を注出する注出路を形成するとともに、該注出路を開閉可能に閉鎖する閉鎖部材を設け、該閉鎖部材を、閉方向に付勢する付勢手段を設けるとともに、該付勢手段の付勢力に抗して閉鎖部材を変位し、上記注出路を開放する操作部材を設けた液体容器の栓体であることを特徴とする。
【０００７】
すなわち、液体を注入するには、注入路を利用して、栓体をつけたまま行う。このようにして液体を注入すると、内部の液体は、たとい液体容器を傾けても、注出路からは流出しない。つまり、注出路を閉鎖部材が付勢手段の付勢力により積極的に閉じているからであり、注出するときには、操作部材を操作して閉鎖部材を変位させ、注出路を開放する。操作部材は、押しボタン、レバー等適宜の手段で構成できる。
【０００８】
なお、上記注入路の上部には漏斗状の凹部を形成して、液体の注入が零すことなく容易に行えるようにするとよい。
【０００９】
また、注入路の上端部は、螺合以外の簡単な動作で開閉できる蓋部で開閉可能に閉じると、液体容器の転倒時に注入路から液体がこぼれることや、ゴミ等の侵入、液体の温度変化を防ぐことができる。
【００１０】
具体的には、上端部に、枢着された開閉蓋部と、該開閉蓋部の閉状態を保持する係止部とを設け、上記開閉蓋部の下面に、注入路の上端部を閉鎖する閉鎖突部を形成するとよい。
【００１１】
さらに、前記操作部材は、一端に枢着部を有し、他端に押下部を有した押下レバーで構成するとよい。梃の原理を利用でき、軽い力で操作できる。
【００１２】
この場合には、押下部を、液体容器に形成するハンドルの上側に位置させるとよい。ハンドルを持つ手の指、親指を利用して、押下レバーを押し下げることができるので、片手のみで注出できる。
【００１３】
【発明の効果】
以上のように、この発明によれば、栓体には注出路を閉鎖する閉鎖部材を設けるとともに、この閉鎖部材を閉方向に付勢する付勢手段を設けているので、積極的に注出路を閉鎖することができる。このため、たとい液体容器が転倒した場合であっても、注出路からの液体の零れを防止することができる。
【００１４】
そして注出路を開放するための操作部材を押下レバーで構成すると、操作が軽い力で容易に行える。特に、押下レバーの押下部を液体容器のハンドルの上側に位置させた場合には、片手で液体の注出が行える。
【００１５】
しかも、注入路を形成しているので、注入に際して、いちいち栓体を取り外す必要がないので、液体の注入に必要な作業は簡単である。
【００１６】
このように、注出も容易である上に、上述のように液体の注入動作が容易であるので、非常に使いやすい液体容器を得ることができる。また、注出路を積極的に閉じることから、液体容器が魔法瓶のような保温容器の場合、保温性能も向上するのでよい。
【００１７】
【発明の実施の形態】
この発明の一実施の形態を、以下図面を用いて説明する。
図１は、液体容器の栓体１の内部構造を示す断面図であり、この図に示すように栓体１は、開閉自在の注入路２と注出路３を備えている。
【００１８】
この例では、液体容器として、図２、図３に示したような保温機能を有する魔法瓶４を用いて説明する。
【００１９】
魔法瓶４は、合成樹脂製の外容器５と、この外容器５の内部に収められた保温機能を有する内容器６と、上端の開口部７に取り付けて該開口部７を開閉可能に閉塞する上記栓体１とで構成する。上記内容器６は、ガラス製のもの、ステンレス等の金属製のものなどいずれでもよい。
【００２０】
上記外容器５は、内容器６を囲む本体部材８と、この本体部材８の下端の開口部分を閉塞する底部材９と、この底部材９の中央に下から螺合するアジャスタ部材１０と、上記本体部材８に取り付ける肩部材１１とを一体に組み付けて形成する。
【００２１】
上記本体部材８の内面には、内容器６保持用の複数本のリブ１２を設けており、上端の開口部分に上記肩部材１１から垂設した環状係止片１３を抜け止め可能な状態に嵌め付けるとともに、肩部材１１の後方に逆Ｌ字状に一体形成したハンドル１４の下端を、本体部材８の外周面に内側からビス１５止めして一体化する。また肩部材１１の前方には、嘴状の注ぎ部１６を一体形成している。
【００２２】
魔法瓶４の組み立てに際しては、上述のように本体部材８と肩部材１１を一体化した後、リング状のシール部材１７を介して、内容器６を下から収納し、上記底部材９を本体部材８の下端に螺合するとともに、アジャスタ部材１０を底部材９に螺合して、内容器６をしっかりと保持して行う。
【００２３】
栓体１は、平面視円形で、下部を上記開口部７に嵌まる径に設定し、露出する部分（上部）を、下部より大きい上記肩部材１１と同じ径に形成する。この栓体１は、上部材１８と、この上部材１８の下に一体化する下部材１９と、上記上部材１８内に枢着した押下レバー２０と、該押下レバー２０で押し下げられる閉鎖部材２１とで構成し、上述のように注入路２と注出路３を有する。すなわち、肩部材１１の上方に露出する上部材１８の上部に、漏斗上の凹部２２を形成し、この凹部２２の中央の底部から管状の注出路形成部２３を垂設して、上記注出路２を形成する。開口部７に対する取り付けは、下部材１９の外周面に形成した雄ねじ２４を、肩部材１１に形成した雌ねじ２５に対して螺合して行う。
【００２４】
上記上部材１８の上面の後方部位には、枢支部２６を立設して、上記凹部２２を開閉する開閉蓋部材２７を枢支するとともに、上部材１８の上面における前方部位には、係止爪２８を立設して、上記開閉蓋部材２７の前端部を係脱可能に係止し、閉状態を維持できるように構成している。開閉蓋部材２７上面を前後方向に延びる半円形の板状部分は、操作用のつまみ２９である。また、開閉蓋部材２７の下面には、シリコンゴム等の適宜の材料からなる半球状の閉鎖突部３０を突設し、閉じたときに上記注入路２の上端、すなわち凹部２２の底からのびる注入路２を気密状態に閉鎖できるようにしている。
【００２５】
上部材１８の内部における前方部分には、所定間隔を隔てて２枚のリブ３１を形成し、これらのリブ３１の間に、上記押下レバー２０の一端に形成した枢着軸３２を保持している。押下レバー２０は、上記閉鎖部材２１を押し下げて注出路３を開放するもので、他端を後方に延設して、上部材１８の外へ突出させ、肩部材１１のハンドル１４の上方位置に突出している部分を押下部３３に設定している。また、上記注入路形成部２３に対応する部分である長さ方向の中間部には、貫通穴を形成して、その内側の縁を押下縁３４に設定する。
【００２６】
上記注出路３は、上記下部材１９に形成する。下部材１９の中央部の注入路２に対応する位置には、閉鎖部材２１を保持するためのぬすみを形成し、このぬすみの外周位置に、外側に位置する外周壁３５と、これよりも内側に位置して高さの低い内周壁３６とからなる二重壁構造を形成する。この二重壁部分を下端にして、外周壁３５と内周壁３６を上へ向け逆Ｌ字状に延設して、栓体１下部（下部材１９）の周面における前側位置に注出口３７を開口する。
【００２７】
上記閉鎖部材２１は、上部材１８の注入路形成部２３に相対摺動可能に嵌まる太さの筒状部３８を設けるとともに、該筒状部３８の下端に、外周方向に広がるドーナツ状の円板部３９を一体形成して形成する。上記円板部３９の外周部位が、上記二重壁部分の外周壁３５に下から当接して、注出路３の下端の閉鎖が行える。
【００２８】
閉鎖部材２１の上端部は、上記押下レバー２０の押下縁３４によって押し下げられる被押下部４０に設定し、このすぐ下には、鍔状の段部４１を形成する。この段部４１には、ワッシャ状の環体４２を取り付けて、下部材１９の内周壁３６の内周面に形成したリング状の段部４３との間に介装する圧縮コイルばね４４で、閉鎖部材２１を上へ、つまり閉方向に付勢する。図中４５，４６はシール部材である。
【００２９】
このように構成した魔法瓶４において、内部に液体を注入するには、図４に示したように、係止爪２８で係止された開閉蓋部材２７を開けるだけでよい。開閉蓋部材２７を開けると、注入路２が開放されるので、ここに液体を流し込めばよい。注入路２の上には椀状の凹部２２を形成しているので、漏斗を使用するときのように零すことなく注入することができる。開閉蓋部材２７の開閉は、開閉蓋部材２７を上げたり下げたりするだけでよいので、極めて簡単で、注入に際していちいち栓体１を回転して取り外す必要はなく、注入動作が簡易迅速に行える。
【００３０】
液体を注出するときには、図１に仮想線で示したように、また図５に示したように、押下レバー２０の押下部３３を、ハンドル１１を持った手の親指で下げて、注出路３を開放して、傾ければよい。注ぐ動作も容易で、簡易迅速に注ぐことができる。
【００３１】
また、液体の注入後開閉蓋部材２７を閉じれば、半球状の閉鎖突部３０が注入路２の上端を閉じた状態となる。このため、保温性が向上し、ゴミなどが入ることを防止できる。また注出路２にあっては、その下端が閉鎖部材２１によって閉鎖されており、外界とは遮断されているので、万が一魔法瓶４が転倒した場合でも、内部の液体が零れることを防止できる。
【００３２】
以上の構成における魔法瓶４は、この発明の液体容器に対応し、
圧縮コイルばね４４は、付勢手段に対応し、
開閉蓋部材２７は、開閉蓋部に対応し、
係止爪２８は、係止部に対応し、
枢着軸３２は、枢着部に対応するも、
この発明は、上述の構成のみに限定されるものではない。
【００３３】
例えば開閉蓋部材２７は、上部材１８にヒンジ部を介して一体成形するもよい。また操作部材は、押下レバー２０のほかに、例えばカムなどを用いた押しボタン式等で形成するもよい。
【００３４】
さらに、この発明の栓体１は、保温機能を持たないポットなどの液体容器に採用するもよい。
【図面の簡単な説明】
【図１】栓体の構造を示す断面図。
【図２】魔法瓶の側面図。
【図３】魔法瓶の断面図。
【図４】液体の注入時の状態を示す断面図。
【図５】液体の注出時の状態を示す断面図。
【符号の説明】
１…栓体
２…注入路
３…注出路
４…魔法瓶
２０…押下レバー
２１…閉鎖部材
２７…開閉蓋部材
２８…係止爪
３０…閉鎖突部
３２…枢着軸
３３…押下部
４４…圧縮コイルばね
【図１】
2004008513.tif 000003
【図２】
2004008513.tif 000004
【図３】
2004008513.tif 000005
【図４】
2004008513.tif 000006
【図５】
2004008513.tif 000007